(57)【要約】【課題】複数の撮像素子の出力を選択してスルー画表示する場合に、いずれかの撮像素子を選択した場合にオートフォーカスをそのままでは使用できない場合であっても、正確なピントあわせが可能なデジタル一眼レフカメラを提供する。【解決手段】第１反射ミラー２０１をアップ位置に移動させた状態で、メインＣＣＤ２２１にて撮像した被写体像を連続的に液晶モニタ２６にスルー画表示するＢモード表示と、第１反射ミラー２０１をダウン位置に移動させた状態で、ファインダ内に配置されたファインダ内ＣＣＤ２７９にて撮像した被写体像を連続的に液晶モニタ２６にスルー画表示するＡモード表示が可能であり、Ｂモード表示によるスルー画表示動作中にレリーズ釦２１が操作された場合には、第１反射ミラー２０１をダウン位置に移動させた後、Ａモード表示によるスルー画表示動作とオートフォーカス動作を実行させる。【選択図】  図３
2007279612.tif 000002
【特許請求の範囲】
【請求項１】
撮影レンズと、
この撮影レンズの光路外に退避した第１の位置と、上記光路内にて被写体光束を光学ファインダに導く第２の位置とに移動可能なミラー手段と、
このミラー手段を介して入射した被写体光束に基づき、上記撮影レンズの焦点状態を検出してオートフォーカス動作を実行するオートフォーカス手段と、
上記ミラー手段を上記第１の位置に移動させた状態で、画像記録用の撮像素子にて撮像した被写体像を連続的に表示装置に表示する第１のスルー画表示手段と、
上記ミラー手段を上記第２の位置に移動させた状態で、上記ファインダ内に配置された撮像素子にて撮像した被写体像を連続的に表示装置に表示する第２のスルー画表示手段と、
上記第１のスルー画表示手段によるスルー画表示動作中にレリーズ釦が操作された場合には、上記ミラー手段を上記第２の位置に移動させた後、上記第２のスルー画表示手段によるスルー画表示動作と上記オートフォーカス手段によるオートフォーカス動作を実行させる制御手段と、
を具備していることを特徴とするデジタル一眼レフカメラ。
【請求項２】
上記制御手段は、上記レリーズ釦の半押し操作に応答することを特徴とする請求項１に記載のデジタル一眼レフカメラ。
【請求項３】
撮影レンズと、
この撮影レンズの光路外に退避して被写体光束を撮像素子に導く第１の位置と、上記光路内にて被写体光束を光学ファインダ光学系に導く第２の位置とに移動可能なミラー手段と、
レリーズ釦の手動操作に応答して上記ミラー手段を介して入射した被写体光束に基づき、上記撮影レンズの焦点状態を検出してオートフォーカス動作を実行するオートフォーカス手段と、
上記ミラー手段を上記第１の位置に移動させ、上記撮像素子から出力される画像信号に基づいて被写体像を連続的に表示するスルー画表示手段と、
上記オートフォーカス手段の動作を許可または禁止する指示手段と、
を具備しており、
上記スルー画表示手段によるスルー画表示動作中にレリーズ釦の手動操作がなされた場合、上記指示手段によってオートフォーカス動作が許容されていれば、撮影動作に先立って上記オートフォーカス手段によるオートフォーカス動作を実行するようにしたことを特徴とするデジタル一眼レフカメラ。
【請求項４】
上記指示手段は、手動操作部材を含み、この手動操作部材の操作状態に応じて上記オートフォーカス動作の許可、または禁止を行うことを特徴とする請求項３に記載のデジタル一眼レフカメラ。
【請求項５】
撮影レンズと、
第１及び第２の撮像素子の出力を選択的に切り換え、この撮像素子で繰り返し取得した画像を表示装置に動画像として表示するスルー画表示手段と、
上記第１の撮像素子の出力に基づいて上記被写体画像の記録準備動作を指示するための操作部材と、
上記第１または第２の撮像素子の出力に基づいて上記スルー画表示手段による表示動作中に、上記撮影レンズの焦点状態を検出してオートフォーカス動作を実行するオートフォーカス手段と、
このオートフォーカス手段が非動作となるスルー画表示中に上記レリーズ釦が操作された際に、上記オートフォーカス手段を動作状態とする他のスルー画表示手段に切り換える制御手段と、
を具備したことを特徴とする電子カメラ。
【発明の詳細な説明】
【技術分野】
【０００１】
本発明は、スルー画表示機能を有するデジタル一眼レフカメラに関し、詳しくは、撮像素子で繰り返し取得した画像を表示装置に動画像として表示する所謂スルー画表示機能（ライブビュー表示機能、電子ファインダ機能とも言う）を有するデジタル一眼レフカメラに関する。
【背景技術】
【０００２】
従来のカメラにおいては、被写体像の観察は、光学式ファインダにより行っていたが、最近のコンパクトデジタルカメラは、光学式ファインダと共に、またはファインダ光学系を廃止し、撮像素子で取得した画像を連続的に液晶モニタ等の表示装置に表示するいわゆるスルー画表示機能を有したものが多くなってきている。
【０００３】
このようなスルー画表示機能は、例えば、パララックスが生じないためマクロ撮影時等に有効であり、このためデジタル一眼レフカメラに搭載した例も種々提案されている。例えば、光学ファインダ表示モードと電子ファインダ表示モードを選択可能とし、電子ファインダ表示モードが選択されたときには、可動ミラーを撮影光路から退避させるとともにフォーカルプレーンシャッタを全開状態にして被写体像を撮像素子に導き、それによって得られた被写体像を連続的に液晶モニタに表示するようにしたデジタル一眼レフカメラが提案されている（特許文献１）。
【特許文献１】特開２００２−３６９０４２号公報
【発明の開示】
【発明が解決しようとする課題】
【０００４】
ところで、この種のスルー画機能においては、可動ミラーを撮影光路外に退避させなければならないので、従来の一眼レフカメラで一般的に採用されているＴＴＬ位相差ＡＦを行うことができず、手動で撮影レンズのピント合わせ（いわゆるマニュアルフォーカス）を行わなければならないという制限があった。マニュアルフォーカスを行うことにより撮影者の意図に沿ったピント合わせを行うことができるが、被写体条件、例えば、輝度が低い、コントラストが低い、対象物が小さいといった場合には、液晶モニタのような小型の表示装置を見ながらのマニュアルフォーカスよりも、従来のオートフォーカスの方が正確なピント調節が可能なことも多い。このように、複数の撮像素子の出力を選択的にスルー画表示する場合に、いずれかの撮像素子を選択した場合にオートフォーカスを使用できないと正確なピント合わせが困難な場合があった。
【０００５】
本発明は、このような事情を鑑みてなされたものであり、スルー画を行っている場合においても、正確なピントあわせが可能なデジタル一眼レフカメラを提供することを目的とする。
【課題を解決するための手段】
【０００６】
上記目的を達成するため第１の発明に係わるデジタル一眼レフカメラは、撮影レンズと、この撮影レンズの光路外に退避した第１の位置と、上記光路内にて被写体光束を光学ファインダに導く第２の位置とに移動可能なミラー手段と、このミラー手段を介して入射した被写体光束に基づき、上記撮影レンズの焦点状態を検出してオートフォーカス動作を実行するオートフォーカス手段と、上記ミラー手段を上記第１の位置に移動させた状態で、画像記録用の撮像素子にて撮像した被写体像を連続的に表示装置に表示する第１のスルー画表示手段と、上記ミラー手段を上記第２の位置に移動させた状態で、上記ファインダ内に配置された撮像素子にて撮像した被写体像を連続的に表示装置に表示する第２のスルー画表示手段と、上記第１のスルー画表示手段によるスルー画表示動作中にレリーズ釦が操作された場合には、上記ミラー手段を上記第２の位置に移動させた後、上記第２のスルー画表示手段によるスルー画表示動作と上記オートフォーカス手段によるオートフォーカス動作を実行させる制御手段を具備する。
また、第２の発明に係わるデジタル一眼レフカメラは、上記第１の発明において、上記制御手段は、上記レリーズ釦の半押し操作に応答する。
【０００７】
上記目的を達成するため第３の発明に係わるデジタル一眼レフカメラは、撮影レンズと、  この撮影レンズの光路外に退避して被写体光束を撮像素子に導く第１の位置と、上記光路内にて被写体光束を光学ファインダ光学系に導く第２の位置とに移動可能なミラー手段と、  レリーズ釦の手動操作に応答して上記ミラー手段を介して入射した被写体光束に基づき、上記撮影レンズの焦点状態を検出してオートフォーカス動作を実行するオートフォーカス手段と、上記ミラー手段を上記第１の位置に移動させ、上記撮像素子から出力される画像信号に基づいて被写体像を連続的に表示するスルー画表示手段と、上記オートフォーカス手段の動作を許可または禁止する指示手段を具備しており、上記スルー画表示手段によるスルー画表示動作中にレリーズ釦の手動操作がなされた場合、上記指示手段によってオートフォーカス動作が許容されていれば、撮影動作に先立って上記オートフォーカス手段によるオートフォーカス動作を実行する。
さらに、第４の発明に係わるデジタル一眼レフカメラは、上記第３の発明において、上記指示手段は、手動操作部材を含み、この手動操作部材の操作状態に応じて上記オートフォーカス動作の許可、または禁止を行う。
【０００８】
上記目的を達成するため第５の発明に係わる電子カメラは、撮影レンズと、第１及び第２の撮像素子の出力を選択的に切り換え、この撮像素子で繰り返し取得した画像を表示装置に動画像として表示するスルー画表示手段と、上記第１の撮像素子の出力に基づいて上記被写体画像の記録準備動作を指示するための操作部材と、上記第１または第２の撮像素子の出力に基づいて上記スルー画表示手段による表示動作中に、上記撮影レンズの焦点状態を検出してオートフォーカス動作を実行するオートフォーカス手段と、このオートフォーカス手段が非動作となるスルー画表示中に上記レリーズ釦が操作された際に、上記オートフォーカス手段を動作状態とする他のスルー画表示手段に切り換える制御手段を具備する。
【発明の効果】
【０００９】
本発明のデジタル一眼レフカメラにおいて、第１のスルー画表示手段によるスルー画表示動作中にレリーズ釦が操作された場合には、第２のスルー画表示手段によるスルー画表示動作と上記オートフォーカス手段によるオートフォーカス動作を実行させるようにしたので、スルー画を行っている場合においても、正確なピントあわせが可能なデジタル一眼レフカメラを提供することができる。
【発明を実施するための最良の形態】
【００１０】
以下、図面を参照してこの発明を実施するための一実施形態を説明する。
図１は、この発明が適用されたデジタル一眼レフカメラの外観斜視図である。この一眼レフカメラは、カメラ本体２０と、交換レンズとしてのレンズ鏡筒１０とから構成されている。レンズ鏡筒１０はカメラ本体２０の前面のマウント部に着脱自在となっている。なお、本実施形態では、レンズ鏡筒１０とカメラ本体２０は別体で構成され、図示しない通信接点を介して電気的に接続されているが、レンズ鏡筒１０とカメラ本体２０を一体に構成することも可能である。
【００１１】
カメラ本体２０の上面にはレリーズ釦２１、モードダイヤル２２、パワースイッチレバー２３、コントロールダイヤル２４等が配置されている。レリーズ釦２１は、撮影者が半押しするとオンする第１レリーズスイッチと、全押しするとオンする第２レリーズスイッチを有している。この第１レリーズスイッチ（以下、１Rと称する）のオンによりカメラは焦点検出、撮影レンズのピントあわせ、被写体輝度の測光等の撮影準備動作を行い、第２レリーズスイッチ（以下、２Rと称する）のオンにより撮像素子の出力に基づいて被写体像の画像データの取り込みを行う撮影動作を実行する。
【００１２】
モードダイヤル２２は回転可能に構成された操作部材であり、モードダイヤル上の図示しない撮影モードを表す記号や絵表示を指標に合致させることにより、プログラムモード、絞り優先モード、シャッタ優先モード、ポートレートモード、オートモード等の撮影モードを選択することができる。パワースイッチレバー２３はデジタル一眼レフカメラの電源のオン・オフを行うための操作部材であり、オン・オフの２つの位置に回動可能に構成されている。コントロールダイヤル２４は、シャッタ速度、絞り値、感度、補正値等の撮影情報の設定を行うための操作部材であり、回転操作により種々の設定値の変更を行うことができる。
【００１３】
カメラ本体２０の背面には、液晶モニタ２６、再生釦２７、メニュー釦２８、十字キー３０、ＯＫ釦３１、ファインダ３３、スルー画切換釦３４、表示切換釦３５、プレビュー釦３６、ＡＦ許可釦３７が配置されている。再生釦２７は、撮影後に液晶モニタ２６に記録した被写体画像表示を指示するための操作釦である。後述するＳＤＲＡＭ２３７や記録媒体２４５にＪＰＥＧ等の圧縮モードで記憶されている被写体の画像データを伸張して表示する。十字キー３０は液晶モニタ２６上で、Ｘ方向とＹ方向の２次元方向にカーソルの移動を指示するための操作部材である。ＯＫ釦３１は、十字キー３０等によって選択された各種項目を確定するための操作部材である。メニュー釦２８は、メニューモードに切換えるための釦であり、この釦２８の操作によってメニューモードを選択すると、液晶モニタ２６にメニュー画面が表示される。メニュー画面は複数の階層構造となっており、十字キー３０で各種項目を選択し、ＯＫ釦３１の操作により選択を決定する。
【００１４】
表示切換釦３５は、撮像素子の出力に基づいて液晶モニタ２６に被写体像を表示するスルー画表示に切換えるための操作部材である。スルー画表示にあたって後述するように本実施形態のデジタル一眼レフカメラでは、Aモード表示とBモード表示の２種類があり、スルー画切換釦３４はこれら２つのモード表示を切換えるための操作釦である。プレビュー釦３６は、被写体像の観察時に焦点深度を確認するために、撮影レンズの絞りを開放状態から絞り込むための指令を出すための操作釦である。ＡＦ許可釦３７は、１Ｒの操作に応じて撮影レンズの焦点状態を検出してオートフォーカス動作の実行を許可するための操作釦である。後述するように、記録用撮像素子の出力に基づいて被写体像を表示装置に表示するＢモード表示となっている場合に、１Ｒがオンとなり、且つこのＡＦ許可釦３７が操作されていると測距およびこれに基づく焦点合わせを行う。ＡＦ許可釦３７とレリーズ釦２１は同時に操作できるように、ＡＦ許可釦３７は撮影者の親指で操作しやすい位置に配置する。
【００１５】
これらの再生釦２７、メニュー釦２４、表示切換釦３５、プレビュー釦３６、ＡＦ許可釦３７はいずれもオン・オフスイッチと連動しており、操作釦の操作に応じて発生する信号が後述するＡＳＩＣ(Application Specific Integrated Circuit  特定用途向け集積回路)２６３に送信される。液晶モニタ２６は、被写体像を観察用にスルー画として表示したり、撮影済みの被写体像を再生表示したり、カメラ情報やメニューを表示するための表示装置である。これらの表示を行うことができるものであれば、液晶に限らない。図示されないが、カメラ本体２０に対して角度を自在に変更できるよう構成されている。接眼部３３は、ファインダ光学系の接眼部であって、撮影者はこの接眼部３３を覗いて被写体像の確認を行うことができる。
【００１６】
図２は、本発明の実施形態に係わるデジタル一眼レフレックスカメラの光学的な概略構成を示すブロック図である。
レンズ鏡筒１０の内部に配置された撮影レンズ１０１の光軸上であって、カメラ本体２０内に第１反射ミラー２０１が配置されている。この第１反射ミラー２０１は、被写体光束をファインダ光学系に反射するために撮影レンズ１０１の光軸に対して４５度傾いた位置と、被写体像を撮像素子(後述のメインＣＣＤ（Charge Coupled Device）２２１)に導くために、撮影光路から退避した位置とに回動可能となっている。第1反射ミラー２０１の回動軸２０１ａはカメラ本体２０の高さ方向に沿っており、符号Ｒ回りに回動可能となっている。この第１反射ミラー２０１によって、カメラ本体２０の前面からみて右方に被写体光束を全反射する。なお、本実施形態では、右方に全反射しているが、これに限らず、カメラ本体の上方でも左方でも、被写体光束の反射方向は機構部材や光学部材の配置上、最も適切になるように選択してよい。また、光路変更部材として、可動ミラーを使用しているが、これに限らず、透過状態と反射状態を電気的に切換可能な液晶ミラー等、光路を変更できる部材であればよい。
【００１７】
第1反射ミラー２０１の反射光軸上にスクリーンマット２０５が配置され、この後方にハーフミラーで構成された第２反射ミラー２７１が配置されている。スクリーンマット２０５は撮影レンズ１０１による被写体光束を結像させるためのマット面であり、第１反射ミラー２０１からの距離がメインＣＣＤ２２１（図３参照）と等価な位置に配設されている。第２反射ミラー２７１はカメラ本体２０の上方に被写体光束の一部を反射させ、残りの被写体光束は第２反射ミラー２７１を透過し、後方に配置された測光用センサ２８１に入射する。測光用センサ２８１は被写体輝度を測定するための７×７の分割測光センサであり、ＡＳＩＣ２６３内の入出力回路２３９に接続されている。
【００１８】
第２反射ミラー２７１の反射光軸上に第３反射ミラー２７３が配置されており、この第３反射ミラー２７３によって、カメラ本体２０の上部左方に被写体光束が全反射される。この第３反射ミラー２７３の反射光軸上にハーフミラーで構成される第４反射ミラー２７５が配置されている。この第４反射ミラー２７５の透過光軸上には、結像レンズ２７７と二次元撮像素子としてファインダ内ＣＣＤ２７９が配置されている。ファインダ内ＣＣＤ２７９は、スクリーンマット２０５上に形成された被写体像を光電信号に変換しＣＣＤ駆動回路２８３（図３）に出力する。また、第４反射ミラー２７５はカメラ本体２０の後方に残りの被写体光束を反射し、この反射光軸上に接眼レンズ２０９が配置されている。第４反射ミラーで反射された被写体光束は、接眼レンズ２０９、ファインダ３３（図１）を通して撮影者Ｅによって被写体像として観察される。
【００１９】
図３は、本実施形態に係るデジタル一眼レフカメラの全体構成を示すブロック図である。
レンズ鏡筒１０の内部には、ピント調節および焦点距離調節用の撮影レンズ１０１ａ、１０１ｂと、開口量を調節するための絞り１０３が配置されている。レンズ１０１ａおよびレンズ１０１ｂはレンズ駆動機構１０７によって駆動され、絞り１０３は絞り駆動機構１０９によって駆動される。これらのレンズ駆動機構１０７、絞り駆動機構１０９はそれぞれレンズＣＰＵ１１１に接続されており、このレンズＣＰＵ１１１は図示しない通信接点を介してカメラ本体２０に接続されている。レンズＣＰＵ１１１はレンズ鏡筒１０内の制御を行うものであり、レンズ駆動機構１０７を制御してピント合わせや、ズーム駆動を行うとともに、絞り駆動機構１０９を制御して絞り値制御を行う。
【００２０】
カメラ本体２０内には、前述した第１反射ミラー２０１が配置されており、第１反射ミラー２０１の右方（図３では、作図上、第１反射ミラー２０１の上方となっている）には、被写体像を結像するために前述のスクリーンマット２０５が配置され、このスクリーンマット２０５の後方には、第２反射ミラー２７１、第３反射ミラー２７３、第４反射ミラー２７５が配置され、第２反射ミラー２７１の後方には、測光用センサ２８１が、また第４反射ミラー２７５の後方には結像レンズ２７７およびファインダ内ＣＣＤ２７９（図３中では、Ｆ内ＣＣＤと略記）が配置されている。そして、第４反射ミラー２７５の反射光軸上には接眼レンズ２０９が配置されている。
【００２１】
上述の第１反射ミラー２０１の中央付近はハーフミラーで構成されており、この第１反射ミラー２０１の背面には、ハーフミラー部を透過した被写体光束を反射するためのサブミラー２０３が設けられている。このサブミラー２０３は、第１反射ミラー２０１に対して回動可能であり、第１反射ミラー２０１が撮影光路から退避し、被写体光束がメインＣＣＤ２２１に入射しているときには、ハーフミラー部を覆う位置に回動し、第１反射ミラー２０１が図示の如き被写体像観察位置にあるときには、第１反射ミラー２０１に対して垂直となる位置にある。この第１反射ミラー２０１はミラー駆動機構２１９によって駆動されている。また、サブミラー２０３の反射光路上に測距用センサを含むＴＴＬ位相差方式の測距回路２１７が配置されており、この回路は、レンズ１０１ａ、１０１ｂによって結像される被写体像の焦点ズレ量を検出するための回路である。
【００２２】
第１反射ミラー２０１の後方には、露光時間制御用のフォーカルプレーンタイプのシャッタ２１３が配置されており、このシャッタ２１３はシャッタ駆動機構２１５によって駆動制御される。シャッタ２１３の後方には二次元撮像素子としてのメインＣＣＤ２２１が配置されており、レンズ１０１ａ、１０１ｂによって結像される被写体像を電気信号に光電変換する。なお、本実施形態では撮像素子としてＣＣＤを用いているが、これに限らずＣＭＯＳ（Complementary Metal Oxide
Semiconductor）等の二次元撮像素子を使用できることはいうまでもない。メインＣＣＤ２２１はＣＣＤ駆動回路２２３に接続され、このＣＣＤ駆動回路２２３によってアナログデジタル変換（ＡＤ変換）がなされる。ＣＣＤ駆動回路２２３は入出力回路２３９を介して後述するシーケンスコントローラ（以下、「ボディＣＰＵ」と称す）２２９から制御を受け、メインＣＣＤ２２１の電源のオン・オフ制御を行い、メインＣＣＤ２２１の撮像のタイミングを供給し、ファインダ内ＣＣＤ２７９の出力とのバラツキの調整を行い、光電変換信号の増幅（ゲイン調整）等を行う。後述するＣＣＤ駆動回路２８３も同様の機能を有する。ファインダ内ＣＣＤ２７９はスクリーンマット２０５に結像された被写体像を光電変換する撮像素子であり、メインＣＣＤ２２１と同様、ＣＭＯＳ等の撮像素子でもよく、また、画素数は、被写体像観察用に用いるだけなので、メインＣＣＤ２２１よりも少なくてもよい。このファインダ内ＣＣＤ２７９は、ＣＣＤ駆動回路２８３に接続され、このＣＣＤ駆動回路２８３によってアナログデジタル変換（AD変換）がなされる。
【００２３】
ＣＣＤ駆動回路２２３とＣＣＤ駆動回路２８３はＣＣＤ切換回路２８５に接続されており、このＣＣＤ切換回路２８５は入出力回路２３９からの切換制御ラインによって、いずれかのＣＣＤを選択出力するように制御される。ＣＣＤ切換回路２８５はＣＣＤインターフェース２２５を介して画像処理回路２２７に接続されている。この画像処理回路２２７は色補正、ガンマ(γ)補正、コントラスト補正、白黒・カラーモード処理、スルー画像処理といった各種の画像処理を行う。画像処理回路２２７は、ＡＳＩＣ２６３内のデータバス２６１に接続されている。このデータバス２６１には、画像処理回路２２７の他、ボディＣＰＵ２２９、圧縮回路２３１、フラッシュメモリ制御回路２３３、ＳＤＲＡＭ（Synchronous Dynamic Random Access
Memory）制御回路２３６、入出力回路２３９、通信回路２４１、記録媒体制御回路２４３、ビデオ信号出力回路２４７、スイッチ検出回路２５３が接続されている。
【００２４】
このデータバス２６１に接続されているボディＣＰＵ２２９は、このデジタル一眼レフカメラのフローを制御するものである。またデータバス２６１に接続されている圧縮回路２３１は後述するＳＤＲＡＭ２３７に記憶された画像データ等をＪＰＥＧで圧縮するための回路である。なお、画像圧縮はＪＰＥＧに限らず、他の圧縮方法も適用できる。データバス２６１に接続されているフラッシュメモリ制御回路２３３は、フラッシュメモリ２３５に接続され、このフラッシュメモリ２３５は、電子カメラのフローを制御するためのプログラムが記憶されており、ボディＣＰＵ２２９はこのフラッシュメモリ２３５に記憶されたプログラムに従って電子カメラの制御を行う。なお、フラッシュメモリ２３５は、電気的に書換可能な不揮発性メモリである。ＳＤＲＡＭ２３７は、ＳＤＲＡＭ制御回路２３６を介してデータバス２６１に接続されており、このＳＤＲＡＭ２３７は、画像処理回路２２７によって画像処理された画像情報または圧縮回路２３１によって圧縮された画像情報を一時的に記憶するためのメモリである。
【００２５】
上述のシャッタ駆動機構２１５、測距回路２１７、ミラー駆動機構２１９、ＣＣＤ駆動回路２２３、測光センサ２８１、ＣＣＤ駆動回路２８３、ＣＣＤ切換回路２８５を接続する入出力回路２３９は、データバス２６１を介してボディＣＰＵ２２９等の各回路とデータの入出力を制御する。レンズＣＰＵ１１１と図示しない通信接点を介して接続された通信回路２４１は、データバス２６１に接続され、ボディＣＰＵ２２９等とのデータのやりとりや制御命令の通信を行う。データバス２６１に接続された記録媒体制御回路２４３は、記録媒体２４５に接続され、この記録媒体２４５への画像データ等の記録の制御を行う。記録媒体２４５は、ｘDピクチャーカード(登録商標)、コンパクトフラッシュ(登録商標)、SDメモリカード(登録商標)、メモリスティック(登録商標)またはハードディスクドライブ（ＨＤ）等の書換え可能な記録媒体で構成され、カメラ本体２０に対して着脱自在となっている。
【００２６】
データバス２６１に接続されたビデオ信号出力回路２４７は液晶モニタ駆動回路２４９を介して液晶モニタ２６に接続される。ビデオ信号出力回路２４７は、ＳＤＲＡＭ２３７または記録媒体２４５に記憶された画像データを、液晶モニタ２６に表示するためのビデオ信号に変換するための回路である。液晶モニタ２６はカメラ本体２０の背面に図１に図示されるごとく配置されているが、撮影者が観察できる位置であれば、背面に限らないし、また液晶に限らず他の表示装置でも構わない。レリーズ釦２１の第1ストロークや第２ストロークを検出するスイッチや、モードダイヤル２２、パワースイッチ２３、コントロールダイヤル２４、再生釦２７、メニュー釦２８、十字キー３０、ＯＫ釦３１、スルー画切換釦３４、プレビュー釦３６、ＡＦ許可釦３７、レンズ検出スイッチ〈不図示〉等を含む各種スイッチ２５５（図３では各種ＳＷと略記）は、スイッチ検出回路２５３を介してデータバス２６１に接続されている。
【００２７】
次に、図４を用いて、本実施形態におけるデジタル一眼レフカメラの表示・動作モードの階層構造を説明する。
主要な表示・動作モードは、情報表示Ｍ１００、Ａモード表示Ｍ２００およびＢモード表示Ｍ３００の３種類である。情報表示Ｍ１００は、カメラ本体２０が電源オンとなった状態で初期設定されている。この情報表示モードは、カメラの撮影にあたって基本的な情報の表示を行うものであって、液晶モニタ２６に、撮影モード、シャッタスピード、絞り、ＡＦモード、フラッシュ、画素数等の情報表示の画面が表示される。プログラムモード、シャッタ速度優先モードといった撮影モードはモードダイヤル２２の回動操作によって設定される。また、感度、シャッタ速度、絞り値、補正値、画素数といった項目は、情報表示画面において十字キー３０を操作することによって項目を選択し、コントロールダイヤル２４の操作で数値を設定する。
【００２８】
Ａモード表示Ｍ２００は、スクリーンマット２０５に結像した被写体像をファインダ内ＣＣＤ２７９によって光電変換し、この光電変換信号に基づいて観察用の被写体像を液晶モニタ２６に表示するモードである。このモードでは、第１の反射ミラー２０１に備えられたサブミラー２０３を介して被写体光束が測距回路２１７に導かれるので、被写体像の観察と共に自動焦点検出動作も行うことができる。液晶モニタ２６での画面表示は、図８（Ａ）に示すように、画面左下にＡモード表示であることを示すために「Ａ」（符号３０５参照）が表示されている。また、このモードではスクリーンマット２０５上に刻印されたＡＦフレーム３０３も視認できる。
【００２９】
Ｂモード表示Ｍ３００は、第１反射ミラー２０１を撮影光路から退避させ、シャッタ２１３を開放状態として、直接、被写体光束をメインＣＣＤ２２１上に結像させ、この被写体像を光電変換信号に変換し、この信号に基づいて観察用の被写体像を液晶モニタ２６に表示するモードである。このモードでは、ファインダ光学系中のハーフミラーを用いず、被写体光束を直接メインＣＣＤ２２１で受光することから、ＣＣＤ２２１に到達する光量の減少を防止でき、低輝度の被写体に対しても被写体像を十分表示することができる。なお、Ｂモード表示Ｍ３００においては、本来、オートフォーカスは不作動となっている。すなわち、第１の反射ミラー２０１が退避してしまうことから自動焦点検出は不作動となり、この場合のピント合わせは手動で行う。液晶モニタ２６の画面左下にＢモード表示であることを示すために、図８（Ｂ）に示すように、「Ｂ」（符号３０７参照）が表示されている。また、このモードでは測距回路２１７による測距は不能であるので、Ａモード表示とは異なり、ＡＦフレームは表示されない。なお、Ａモード表示やＢモード表示を示すための符号は、「Ａ」「Ｂ」に限らず、「メインＣＣＤ」「ファインダ内ＣＣＤ」等、記号、文字、絵文字等でも良いことは勿論である。ただし、図４には示されていないが、レリーズ釦２１とＡＦ許可釦３７の操作により、第１の反射ミラー２０１を回動させ、被写体光束をファインダ内ＣＣＤ２７９に反射する位置に移動させるので、測距回路２１７が動作可能となり、自動焦点調節動作が実行される。詳しくは図５および図６のフローを用いて説明する。
【００３０】
前述したように、カメラ本体２０を電源オンとしたときには、情報表示Ｍ１００が初期設定される。この情報表示Ｍ１００からＡモード表示Ｍ２００またはＢモード表示Ｍ３００への切換は表示切換釦３５を操作することによって行われる。この場合、表示切換釦３５を操作すると、直近に設定されていたＡモード表示Ｍ２００またはＢモード表示Ｍ３００に切換えられる。なお、工場出荷時には、Ａモード表示をデフォルト値としておくと（勿論、Ｂモード表示も可能である）、最初、表示切換釦３５を操作した際に、Ａモード表示Ｍ２００に切換わり、再度、表示切換釦３５を操作すると情報表示Ｍ１００に戻る。Ａモード表示Ｍ２００に設定された際に、スルー画表示切換釦３４を操作するとＢモード表示Ｍ３００に切換わり、この状態で、再度、スルー画表示切換釦３４を操作すると、Ａモード表示Ｍ２００に戻る。Ｂモード表示Ｍ３００で表示切換ボタン３５を操作すると情報表示Ｍ１００に戻る。つまり、情報表示Ｍ１００からＡモード表示Ｍ２００またはＢモード表示Ｍ３００への切換は、表示切換ボタン３５を操作することによって、直近に設定されていたモードに移行し、Ａモード表示Ｍ２００とＢモード表示Ｍ３００間の切換はスルー画表示切換釦３４によって行うよう構成されている。
【００３１】
ここで、Ａモード表示Ｍ２００とＢモード表示Ｍ３００のいずれかに設定されていたことは不図示の不揮発性メモリに記憶されているので、カメラ本体２０の電源がオフされたとしても、記憶が保持される。ただし、電源のオンに応じて、Ａモード表示かＢモード表示のいずれかにリセットするようにしても良いことは勿論である。なお、特殊なケースとして、レンズ鏡筒１０がカメラ本体２０から取り外されたことをレンズ検出スイッチ（不図示）によって検出した場合には、Ｂモード表示Ｍ３００から情報表示Ｍ１００に切換わる。
【００３２】
このように本実施形態では、被写体光束の光量は減少するが、自動焦点調節を行うことのできるＡモード表示と、自動焦点調節は不作動となるが、被写体光束の光量は減少せずに低輝度でも十分に被写体像を表示できるＢモード表示とを簡単な操作で切換えるようにしている。
【００３３】
次に、情報表示Ｍ１００の下部階層について説明する。情報表示Ｍ１００で、レリーズ釦２１の半押しを行うと（１Ｒオン）、測光、測距等の撮影準備動作を行い（Ｍ１２０）、さらにレリーズ釦２１の全押しを行うと（２Ｒオン）、メインＣＣＤ２２１の出力を読み出し、記録用画像データを記録媒体２４５に記録する撮影動作Ｃを実行する（Ｍ１２１）。撮影動作が終了し、レリーズ釦２１の半押しを解除（１Ｒオフ）すると、情報表示Ｍ１００に戻る。また、メニュー釦２８をオンにすると、カードセット、ドライブモード、フラッシュ補正等を設定するメニュー画面が現われる（Ｍ１３０）。この画面で十字キー３０を操作することによりカーソルを移動させ、好みの項目を選択し、ＯＫ釦３１を押すことによって決定することができる（Ｍ１３１）。メニュー表示Ｍ１３０から、メニュー釦２８またはＯＫ釦３１をオンにすると、情報表示Ｍ１００に戻ることができる。さらに、情報表示Ｍ１００の画面において、モードダイヤル２２、コントロールダイヤル２４や十字キー３０を操作して好みのモード・値に設定できる（Ｍ１４０）。
【００３４】
次にＡモード表示Ｍ２００の下部階層に移って、まず、レリーズ釦２１が半押しされ１Ｒがオンとなると、撮影準備動作Ｍ１２０と同様に撮影準備が行われ（Ｍ２２０）、さらにレリーズ釦２１が全押しされ２Ｒがオンとなると、撮影動作Ａが行われる（Ｍ２２１）。また、メニュー釦２８をオンすると、メニュー画面が現わる（Ｍ２３０）。この状態で、十字キー３０を操作し、カーソルを移動させ項目を選択し、ＯＫ釦３１で所望の項目を決定し、メニュー表示Ｍ２３０に戻る（Ｍ２３１）。この表示状態でメニュー釦２８またはＯＫ釦３１のオンで、Ａモード表示Ｍ２００に戻る。
【００３５】
次に、Ｂモード表示Ｍ３００の下部階層に移って、まず、Ｂモード表示Ｍ３００でメニュー釦２８が押されオンになると、メニュー表示となる（Ｍ３１０）。ここで、十字キー３０を操作し（Ｍ３１１）、好みの項目をＯＫ釦３１によって決定すると、メニュー表示Ｍ３１０に戻る。メニュー表示からは、メニュー釦２８またはＯＫ釦３１をオンとすることにより、Ｂモード表示Ｍ３００に戻ることができる。Ｂモード表示状態で、レリーズ釦２１が半押しされていても、第１反射ミラーが退避状態にありシャッタが開放状態であるので、特に何も動作しないが、レリーズ釦２１が全押しされ２Ｒがオンとなると、メインＣＣＤからの画像信号に基づいて記録用画像データを記録媒体２４５に記録する撮影動作Ｂを実行する（Ｍ３２０）。なお、レリーズ釦２１とＡＦ許可釦３７が操作された場合には、Ａモード表示に移り、自動焦点調節動作を実行する。
【００３６】
次に、図４に示したＡモード表示Ｍ２００について、図５に示すフローチャートを用いて説明する。
表示切換釦３５がオンとなるとファインダ内ＣＣＤ２７９からの出力に基づいて被写体像を表示するＡモード表示の動作を行う。まず、ファインダ内ＣＣＤ２７９の駆動条件を決めるために、ステップＳ１において、測光センサ２８１の出力に基づいて測光・露光量演算（即ち、被写体輝度値、シャッタスピードと感度を求める）を行う。次に、ファインダ内ＣＣＤ２７９を選択し（Ｓ３）、これに電源を供給する（Ｓ５）。続いて、ＣＣＤ駆動にあたっての電子シャッタスピードと感度の条件設定を行うために、ステップＳ１で求めた測光・露光量の演算結果を用いてスルー画条件設定１のサブルーチンを実行する（Ｓ７）。このサブルーチンの実行によって液晶モニタ２６に適切な明るさ（明度）の像を表示することができるが、このサブルーチンの詳細は図７を用いて後述する。スルー画条件設定１が終了すると、Ａモード表示を開始する（Ｓ９）。なお、スルー画表示動作の制御は、この開始指示を受けて画像処理回路２２７にて行われる。
【００３７】
次に、ステップＳ２と同様に再び測光・露光量演算を行い（Ｓ１１）、演算された露光量の表示を行う（Ｓ１３）。続いて、液晶モニタ２６におけるスルー画表示の明度を適切に保つためにスルー画条件設定２のサブルーチンを実行する（Ｓ１５）。ステップＳ７でのスルー画条件設定１は液晶モニタ２６でのスルー画表示前であったので、測光センサ２８１の出力に基づいて行ったが、スルー画条件設定２では、狙いとする明度と前回撮像結果に基づく画面明度と差分から次回撮像時の電子シャッタスピードと感度を決定する。なお、ここで、明度とは、例えば、ＣＣＤの各画素出力の加重平均値に対応した値である。この後、レリーズ釦２１が半押しされたかどうか、即ち、１Ｒがオンとなったかを判定する（Ｓ２１）。
【００３８】
判定の結果、１Ｒがオンの場合には、撮影動作時の露光制御に使用するための測光・露光量演算を行い（Ｓ２３）、測距・焦点調節のサブルーチンを実行する（Ｓ２５）。測距・焦点調節のサブルーチンは、測距回路２１７の出力に基づいてＴＴＬ位相差法により撮影レンズ１０１の焦点ズレ量を演算し、この焦点ズレ量に基づいてレンズ駆動量を演算し、レンズＣＰＵ１１１を介してレンズ駆動機構１０７を駆動し、ピント合わせを行う。続いて、レリーズ釦２１が全押しされたかどうか、即ち、２Ｒがオンとなったかを判定し、オフの場合には、レリーズ釦２１が半押しのままかどうかを判定し（Ｓ２９）、オンの場合には、ステップＳ２７とＳ２９を繰り返し実行する待機状態となる。この状態でレリーズ釦２１から撮影者の手が離れると、ステップＳ２９をＮで抜け、ステップＳ３７に移行する。一方、レリーズ釦２１の全押しがなされると、ステップＳ３１に進み、Ａモード表示を停止し、即ち、液晶モニタ２６でスルー画表示を行っていたことを止め、ファインダ内ＣＣＤ２７９の電源をオフし（Ｓ３３）、撮影動作Ａに移る（Ｍ２２１）。撮影動作Ａでは、第１反射ミラー２０１を撮影光路から退避させ、絞り１０３を設定値まで絞込み、シャッタ２１３を開放し、メインＣＣＤ２２１による撮像動作を行った後、第１反射ミラー２０１を反射位置に戻し、また絞り１０３とシャッタ２１３を初期位置に戻すという公知の動作を実行する。撮影動作Ａが終了すると、ステップＳ１に戻り、前述のステップを繰り返す。
【００３９】
ステップＳ２１に戻り、１Ｒがオフの場合には、ステップＳ３７に進み、ＢモードＡＦフラグに１がセットされているか否かの判定を行う。Ｂモード表示中にレリーズ釦２１が半押しされ、１Ｒがオンとなり、かつＡＦ許可釦３７が操作された場合には、Ａモード表示に移行しオートフォーカス動作をステップＳ２５にて行う（詳しくは後述する）。ステップＳ３７からステップＳ４３は、オートフォーカス動作が終了した後に再びＢモード表示に復帰するためのものである。判定の結果、フラグがセットされていた場合には、ステップＳ４１に進み、Ａモード表示の固定を行う。これは、Ａモード表示から再びＢモード表示に戻る際に画像が乱れ見苦しくなるおそれがあるので、これを防止するものである。Ａモード表示の固定を行うことにより、以後、Ｂモード表示が開始されるまでは、液晶モニタ２６におけるスルー画表示の更新は行われなくなる。次に、ファインダ内ＣＣＤ２７９の電源をオフし、ＢモードＡＦフラグをリセット（Ｓ４３）してからＢモード表示に移行する。
【００４０】
ステップＳ３７に戻り、ＢモードＡＦフラグが１にセットされていなかった場合には、ステップＳ４５に進み、表示切換釦３５が押されたかどうか、即ち、オンかどうかを判定する。オンであった場合には、Ａモード表示Ｍ２００を終了して情報表示Ｍ１００に移る。ステップＳ４５に戻り、判定の結果、表示切換釦３５が押されていなかった場合、即ち、オフであった場合には、ステップＳ４７に進み、メニュー釦２８が押されたかどうか、即ち、オンかどうかを判定し、オンの場合には、図４で説明したメニュー表示Ｍ２３０に進む。メニュー釦２８がオフの場合には、ステップＳ４９に進み、スルー画切換釦３４がオンか否かを判定する（Ｓ４９）。オフだった場合には、いずれの釦も操作されていない状態であるので、ステップＳ１１に戻り、前述したフローを繰り返す。Ａモード表示Ｍ２００の状態で、スルー画表示釦３４が操作されると、前述したように、Ｂモード表示Ｍ３００に切換えられる。そこで、Ｓ４９でオンと判定された場合には、ステップＳ４１と同様に、Ａモード表示の固定を行ってから、Ｂモード表示（Ｍ３００）に進む。
【００４１】
次に図６を用いてＢモード表示Ｍ３００のフローを説明する。Ｂモード表示に入ると、まず、メインＣＣＤ２２１を選択し（Ｓ６１）、このメインＣＣＤ２２１に電源の供給を開始する（Ｓ６３）。次に、ステップＳ１と同様に、測光・露光量演算を行い（Ｓ６５）、第１反射ミラー２０１を軸２０１ａ回りに回動させ、撮影光路から退避させる（Ｓ６７）。続いて、フォーカルプレーンシャッタ２１３を開放状態とし（Ｓ６９）、被写体像をメインＣＣＤ２２１上に結像させる。ステップＳ７と同様に、スルー画表示条件の設定１のサブルーチンを実行し（Ｓ７１）、Ｂモード表示でのスルー画表示を開始させる（Ｓ７３）。Ａモード表示Ｍ２００からＢモード表示Ｍ３００に切換えた場合には、ステップＳ５１のＡモード表示固定からステップＳ７３のＢモード表示開始までの間、液晶モニタ２６の表示は固定されているが、このステップＳ７３においてＢモード表示、即ち、メインＣＣＤ２２１から出力される画像信号に基づくスルー画表示に切換わる。
【００４２】
次に、ステップＳ７５において、レリーズ釦２１が半押しされたか、すなわち１Ｒがオンか否かの判定を行う。判定の結果、オンであった場合には、ステップＳ７６に進み、ＡＦ許可釦３７が操作されたか、すなわちオンか否かの判定を行う。判定の結果、オンであった場合には、レリーズ釦２１が半押しされ、かつＡＦ許可釦３７が操作されていることから、Ａモード表示を利用してオートフォーカスを行うためのステップに移る。まず、ステップＳ７７においてＢモード表示の固定を行う。これはステップＳ４１におけるＡモード表示の固定と同じく、表示モードの変更時の画像の乱れを防止するためのものである。次に、シャッタ２１３を閉じ（Ｓ７８）、第１反射ミラー２０１をダウンさせ（Ｓ７９）、被写体光束をファインダ内ＣＣＤ２７９側に導く。続いて、メインＣＣＤ２２１の電源をオフし（Ｓ８０）、ＢモードＡＦフラグに１をセットする。ＢモードＡＦフラグは、前述したように、ステップＳ３７において、Ｂモード表示中にレリーズ釦２１が半押しされたか否かを判定するためのフラグである。これらの一連のステップが終了すると、図５に示すＡモード表示に移行し、ステップＳ２５においてオートフォーカス動作を実行する。
【００４３】
ステップＳ７５に戻り、１Ｒがオンでなかった場合には、後述するステップＳ１０１に移行し、ＡＦ許可釦３７が操作されていなかった場合には、ステップＳ８２に進み、レリーズ釦２１が全押しされているか、即ち、２Ｒがオンかを判定し、オンの場合には、撮影動作Ｂに進む。まず、液晶モニタ２６に表示されているスルー画表示を止め、即ちＢモード表示を停止し（Ｓ８３）、ステップＳ７８、Ｓ７９と同様にフォーカルプレーンシャッタ２１３と第１反射ミラー２０１を初期状態に戻す（Ｓ８５、Ｓ８７）。この後撮影動作Ｂ（Ｍ３２０）に移る。撮影動作Ｂでは、第１反射ミラー２０１を撮影光路から退避させ、絞り１０３を設定値まで絞込み、シャッタ２１３を開放し、メインＣＣＤ２２１による撮像動作を行った後、第１反射ミラー２０１を反射位置に戻し、また絞り１０３とシャッタ２１３を初期位置に戻すという公知の動作を実行する。撮影動作Ｂが終了すると、ステップＳ６１に戻り、前述のステップを繰り返す。
【００４４】
ステップＳ８２に戻り、２Ｒがオフだった場合、またはステップＳ７５において１Ｒがオフだった場合には、ステップＳ１０１に進み表示切換釦３５がオンか否かの判定を行う。オンだった場合には、情報表示Ｍ１００に戻るが、その前にＢモード表示を終了するための処理をＳ１０３からＳ１０９にて行う。まず、Ｂモード表示を停止し（Ｓ１０３）、フォーカルプレーンシャッタ２１３を閉じ、第１反射ミラー２０１を退避位置からファインダ光学系に光束を反射する位置に復帰させ（Ｓ１０７）、メインＣＣＤ２２１の電源をオフする（Ｓ１０９）。これらの動作が終了すると、情報表示Ｍ１００に移る。
【００４５】
ステップＳ１０１に戻り、表示切換釦３５がオフだった場合には、ステップＳ１１１に進みメニュー釦２８がオンか否かを判定する。判定の結果、オンだった場合には、メニュー表示Ｍ３１０表示を行うが、その前にＢモード表示でのスルー画表示を停止するための処理をステップＳ１１３からＳ１１９にて行う。この処理は、前述のステップＳ１０３からＳ１０９と同様であるので、説明は省略する。
【００４６】
ステップＳ１１１に戻り、判定の結果、オフだった場合には、ステップＳ１２１にてスルー画切換釦３４がオンか否かを判定する。判定の結果、オンだった場合には、Ｂモード表示Ｍ３００からＡモード表示Ｍ２００に切換えるが、その前にステップＳ１２３からＳ１２９にて切換処理を行う。まず、ステップＳ１２３にてＢモード表示の固定を行う。これは、ステップＳ７７と同様にスルー画表示モードの切換時の画像の乱れを防止するためである。続くステップＳ１２５からＳ１２９は、前述のステップＳ１０５からＳ１０９と同様であるので、説明は省略する。
【００４７】
ステップＳ１２１に戻り、判定の結果、Ｎｏだった場合には、スルー画切換釦３４が操作されていなかった場合であり、この場合はステップＳ１４３に進む。ここで、ステップＳ１５と同様に、スルー画条件の設定２のサブルーチンを実行した後、前述のステップＳ７５に進み、前述のステップを繰り返す。
【００４８】
本実施形態では、Ｂモード表示中にＡモード表示を利用してのオートフォーカスに移る場合にモニタにおける被写体像の乱れを防止するために、被写体像をフリーズしている。すなわち、Ｂモード表示からＡモード表示に移る際には、ステップＳ７７からステップＳ９までＢモード表示でフリーズしており、またＡモード表示からＢモード表示に戻る際には、ステップＳ４１からステップＳ７３までＡモード表示でフリーズしている。また、通常のＡモード表示とＢモード表示の切換時においても被写体像の乱れを防止しており、Ａモード表示からＢモード表示への切換時は、ステップＳ５１からステップＳ７３までＡモード表示でフリーズし、Ｂモード表示からＡモード表示への切換時は、ステップＳ１２３からＳ９までＢモード表示でフリーズしている。なお、フリーズの終了は所定の動作に応じて行う方法の他、例えば、画像が安定するまでの所定時間フリーズする等、種々の方法を適宜選択すればよい。また、本実施形態では、Ａモード表示とＢモード表示の両方の切換時に表示のフリーズを行っていたが、いずれかの表示モードのみに対しても適用できる。
【００４９】
次に、「スルー画条件の設定１」と「スルー画条件設定２」について図７を用いて説明する。このサブルーチンは前述したように、液晶モニタ２６に被写体画像を表示する際の画像明度の調整を行うためのものである。まず、スルー画条件設定１のサブルーチンに入ると、ステップＳ２０１において、測光センサ２８１の出力ＢＶｓに基づいて次回撮像時の電子シャッタスピードＴＶ１と感度ＳＶ１の決定を行う。スルー画表示時における絞り値は開放絞りであるので、この絞り値をＡＶｓとすると、
ＡＶｓ＋ＴＶ１＝ＢＶｓ＋ＳＶ１
の関係があり、
ＢＶｓ−ＡＶｓ＝ＴＶ１−ＳＶ１
となる。この式の左辺は既知の値であるので、左辺の値からＴＶ１とＳＶ１を適宜、プログラムラインやテーブルに従って求めればよい。この後、決定された電子シャッタスピードＴＶ１と感度ＳＶ１をそれぞれのレジスタに記憶・設定する（Ｓ２０７）。ＣＣＤ駆動回路２２３又はＣＣＤ駆動回路２８３は、ここで設定・記憶されたＴＶ１とＳＶ１に基づいてＣＣＤ２２１又は２７９の駆動制御を行い、光電変換信号の読み出しを行う。ステップＳ２０７にてＴＶ１およびＳＶ１の設定が終了すると元のフローに戻る。
【００５０】
次に、「スルー画条件設定２」を説明する。設定２のサブルーチンに入ると、まず、狙いの画像明度（所定値）と前回撮像時の画像明度との差ΔＥＶを算出する（Ｓ２０３）。続いて、画像明度が一定となるように、次回撮像時の電子シャッタスピードＴＶ１と感度ＳＶ１を決定する（Ｓ２０５）。この決定にあたっては、次の要素から求める。
・開放絞り値ＡＶｓ
・前回撮像時の電子シャッタスピードＴＶ０
・前回撮像時の感度ＳＶ０
・狙いの画像明度と前回撮像時の画像明度との差ΔＥＶ
まず、露出条件の基本式として
ＡＶｓ＋ＴＶ０＝ＢＶ０＋ＳＶ０  
である。
【００５１】
ここで、ＢＶ０は前回の輝度であるが、真の値は分からず、上記基本式では仮の値としている。真の輝度値ＢＶ０は、狙いとの差、即ち、ΔＥＶだけ外れていることから、
ＢＶ０＝ＡＶｓ＋ＴＶ０−ＳＶ０＋ΔＥＶ
＝ＡＶ１＋ＴＶ１−ＳＶ１
となり、この関係式からＴＶ１とＳＶ１を求める。ここで、差ΔＥＶは、例えば、撮像素子の各画素の出力の加重平均と狙いとする値との差から求めればよい。このステップＳ２０５を終了すると、前述したステップＳ２０７に進み、元のフローに戻る。
【００５２】
本実施形態においては、Ｂモード表示中にレリーズ釦２１を操作すると（Ｓ７５）、この場合ＡＦ許可釦３７がオンであれば、ステップＳ７７〜Ｓ８１においてＡモード表示に移行するための準備を行った後、Ａモード表示に移る。Ａモード表示のステップＳ１から順次、各ステップを実行し、ステップＳ２１にてレリーズ釦２１が半押しされたままであれば、ステップＳ２５において測距および焦点調節を行う。これによってＢモード表示の中であっても自動焦点調節を行うことができる。この後、レリーズ釦２１から撮影者の手が離れるとステップＳ２９をＮで抜け、ステップＳ３７に進み、ＢモードＡＦフラグがセットされていることからＹで抜け、ステップＳ４１、Ｓ４３での処理を行った後にＢモード表示に戻る。このように、Ｂモード表示においても、撮影者が必要に応じて、オートフォーカス動作を簡単に行うことができるので、マニュアルフォーカスではピントが合わせ難い被写体の場合には大変便利である。
また、本実施形態では、Ｂモード表示中にオートフォーカス動作を行うために、ステップＳ２５を実行後、そのままレリーズ釦２１を全押しすると、そのままステップＳ２７から撮影動作Ａに移行するために、シャッタタイムラグを短縮することができる。
【００５３】
なお、本実施形態では、レリーズ釦２１が半押しされた際にＡＦ許可釦３７が操作されているか判定しているために、レリーズ釦２１とＡＦ許可釦３７をほぼ同時に操作する必要がある。両者を同時押しすることが煩わしい場合には、ＡＦ許可釦３７を事前に操作することによりＡＦ許可フラグをセットし、もう一度操作することにより、このＡＦ許可フラグをリセットするようにし、ステップＳ７６はこのＡＦ許可フラグがセットされているか否かを判定するようにしても良い。
【００５４】
また、本実施形態では、レリーズ釦２１が半押しされた場合であっても、ＡＦ許可釦３７によってＡＦ動作が許可されていない場合には、そのままＢモード表示を続行し、自動焦点調節動作は行わないようにしていた。しかし、ＡＦ許可釦３７を毎回、操作するのが煩わしい場合には、レリーズ釦２１の半押しオンのみでＡモード表示での自動焦点調節動作を実行するようにしても構わない。
【００５５】
さらに、本実施形態では、ＡＦの許可を行うＡＦ許可釦３７を設けていたが、これに限らず、ＡＦの禁止を行うＡＦ禁止釦としても良く、このＡＦ禁止釦とレリーズ釦の半押しを同時に操作した場合にはＡＦを禁止し、レリーズ釦のみが操作された場合にはＡＦを行うようにしても良い。さらに、ＡＦ禁止釦によって事前にＡＦ動作を禁止しておくように構成しても勿論構わない。
【００５６】
さらに、本実施形態では、Ａモード表示の際にオートフォーカス動作を行うことができ、一方、Ｂモード表示の際にはオートフォーカス動作を行うことができなかった。しかし、これとは逆に、例えば、ファインダ内に配置したＴＴＬ位相差法によるオートフォーカス装置をなくし、かわりにメインＣＣＤ２２１からの出力に基づいてコントラスト法等によりピント合わせを行うようにした場合には、Ｂモード表示でもオートフォーカスが可能となる。このような場合には、Ａモード表示中にレリーズ釦２１の操作があった場合には、Ｂモードに移行してオートフォーカスを行うようにしても良い。
【００５７】
本実施形態のデジタル一眼レフカメラは、撮影レンズ１０１と、この撮影レンズ１０１の光路外に退避した第１の位置（アップ位置）と、光路内にて被写体光束を光学ファインダに導く第２の位置（ダウン位置）とに移動可能な第１反射ミラー２０１と、この第１反射ミラー２０１を介して入射した被写体光束に基づき、撮影レンズ１０１の焦点状態を検出してオートフォーカス動作を実行するオートフォーカス手段（ステップＳ２５）と、第１反射ミラー２０１を第１の位置（アップ位置）に移動させた状態で、画像記録用のメインＣＣＤ２２１にて撮像した被写体像を連続的に液晶モニタ２６に表示する第１のスルー画表示手段（Ｂモード表示）と、第１反射ミラー２０１を第２の位置（ダウン位置）に移動させた状態で、ファインダ内に配置されたファインダ内ＣＣＤ２７９にて撮像した被写体像を連続的に液晶モニタ２６に表示する第２のスルー画表示手段（Ａモード表示）を具備し、第１のスルー画表示手段（Ｂモード表示）によるスルー画表示動作中にレリーズ釦２１が操作された場合には、第１反射ミラー２０１を第２の位置（ダウン位置）に移動させた後、第２のスルー画表示手段（Ａモード表示）によるスルー画表示動作とオートフォーカス手段によるオートフォーカス動作（ステップＳ２５参照）を実行させるようにしたので、第１スルー画表示（Ｂモード表示）でスルー画を行っている場合においても、正確なピントあわせが可能なデジタル一眼レフカメラとなる。
【００５８】
また、本実施形態では、オートフォーカス手段の動作を許可するＡＦ許可釦３７を備え、スルー画表示手段によるスルー画表示動作中にレリーズ釦２１の手動操作がなされた場合、ＡＦ許可釦３７によってオートフォーカス動作が許容されていれば、撮影動作に先立って上記オートフォーカス手段によるオートフォーカス動作を実行するようにしたので、スルー画表示を行っている場合においても、正確なピントあわせが可能なデジタル一眼レフカメラとなる。手動操作によってピント合わせができ、オートフォーカス動作を実行させたくない場合には、便利である。なお、前述したようにＡＦ許可に代えて、ＡＦ禁止とするように構成しても良いことは勿論である。
【００５９】
なお、本発明は、デジタル一眼レフカメラに限らず、２以上撮像素子の出力を選択的にスルー画表示し、そのうちの特定の撮像素子によるスルー画表示のみしかオートフォーカス動作できないような電子カメラに適用できることは勿論である。
【図面の簡単な説明】
【００６０】
【図１】本発明の一実施形態に係わるデジタル一眼レフカメラの外観斜視図である。
【図２】本発明の一実施形態に係わるデジタル一眼レフレックスカメラの光学的な概略構成を示すブロック図である。
【図３】本発明の一実施形態に係るデジタル一眼レフカメラの全体構成を示すブロック図である。
【図４】本発明の一実施形態におけるデジタル一眼レフカメラの表示モードおよびその動作モード・メニューの階層構造を示すブロック図である。
【図５】本発明の一実施形態におけるＡモード表示のフローチャートである。
【図６】本発明の一実施形態におけるＢモード表示のフローチャートである。
【図７】本発明の一実施形態におけるスルー画条件の設定１とスルー画条件の設定２のフローチャートである。
【図８】本発明の一実施形態において、液晶モニタでの表示を示し、（Ａ）はＡモード表示におけるスルー画表示、（Ｂ）はＢモード表示におけるスルー画表示を示す図である。
【符号の説明】
【００６１】
１０  レンズ鏡筒
２０  カメラ本体
２１  レリーズ釦
２２  モードダイヤル
２３  パワースイッチ
２４  コントロールスイッチ
２６  液晶モニタ
２７  再生釦
２８  メニュー釦
３０  十字キー
３１  ＯＫ釦
３３  ファインダ
３４  スルー画切換釦
３５  表示切換釦
３６  プレビュー釦
３７  ＡＦ許可釦
２０１  第1反射ミラー
２０５  スクリーンマット
２１３  フォーカルプレーンシャッタ
２２１  メインＣＣＤ
２２９  ボディＣＰＵ
２７９  ファインダ内ＣＣＤ
２２７  画像処理回路
２８５  ＣＣＤ切換回路
【図１】
2007279612.tif 000003
【図２】
2007279612.tif 000004
【図３】
2007279612.tif 000005
【図４】
2007279612.tif 000006
【図５】
2007279612.tif 000007
【図６】
2007279612.tif 000008
【図７】
2007279612.tif 000009
【図８】
2007279612.tif 000010